(57)【特許請求の範囲】
【請求項１】
他の特定の電子会議装置とデータ通信を行う通信手段と、他の特定の電子会議装置から予め受信した受信画像データであって、所定の順番に並ぶ複数ページから成る受信画像データを記憶する記憶手段と、前記受信画像データを表示する表示手段とを有して、前記表示手段が表示する受信画像データを他の特定の電子会議装置に表示される画像データに連動するように構成された電子会議装置であって、
前記表示手段に表示する受信画像データに関する指示を入力する入力手段と、
前記入力手段から入力される指示に基づいて、前記表示手段を制御する制御手段とを有し、
前記制御手段は、
前記表示手段が表示する受信画像データを他の特定の電子会議装置に表示される画像データに連動するように、前記表示手段を連動制御する連動制御部と、
前記連動制御部が前記表示手段を連動制御するのを解除して、前記表示手段を受信画像データの全てにわたって表示可能にする連動制御解除部とを有し、
前記記憶手段は、前記受信画像データのうち、前記連動制御部によって連動制御されて、前記表示手段に表示される画像データを、予め登録して記憶する登録記憶部を有し、
前記登録記憶部によって予め登録されて記憶された登録画像データが、他の特定の電子会議装置に表示されたとき、前記連動制御部は、前記表示手段を連動制御し、
前記連動制御解除部が、前記連動制御部によって前記表示手段が連動制御されるのを解除しているとき、
受信画像データのうち、前記登録記憶部によって予め記憶される前記登録画像データを、連動制御部が連動制御して表示手段に表示させるまでのページ数に関する情報である演算情報を、他の特定の電子会議装置に表示される画像データに応じて、演算して算出する演算処理手段を有し、
前記表示手段は、前記演算処理手段によって算出される演算情報に基づいて、カウントダウン表示することを特徴とする電子会議装置。
【請求項２】
前記登録記憶部は、複数の登録画像データをそれぞれ個別のデータとして、登録して記憶することが可能であることを特徴とする請求項１に記載の電子会議装置。
【請求項３】
前記登録記憶部は、複数の登録画像データをそれぞれ関連付けられた連続したデータとして、登録して記憶することが可能であることを特徴とする請求項１に記載の電子会議装置。
【請求項４】
前記登録記憶部によって予め登録されて記憶された前記登録画像データが他の特定の電子会議装置に表示されて、前記連動制御部が前記表示手段を連動制御しているとき、
前記連動制御解除部は、前記連動制御部によって連動制御が開始されてから所定時間が経過するまで、前記連動制御部が前記表示手段を連動制御するのを解除しないように構成されることを特徴とする請求項１〜３のいずれか１つに記載の電子会議装置。
【請求項５】
前記登録記憶部によって予め登録されて記憶された前記登録画像データが他の特定の電子会議装置に表示されて、前記連動制御部が前記表示手段を連動制御しているとき、
前記連動制御解除部は、前記連動制御部によって連動制御が開始されてから所定時間が経過した後、前記連動制御部が前記表示手段を連動制御するのを解除することが可能となるように構成されることを特徴とする請求項１〜４のいずれか１つに記載の電子会議装置。
【請求項６】
前記表示手段は、受信画像データを表示しているときに、受信画像データに紐付けて登録されている関連データを表示する関連データ表示部を有することを特徴とする請求項１〜５のいずれか１つに記載の電子会議装置。
【請求項７】
前記連動制御解除部が、前記連動制御部によって前記表示手段が連動制御されるのを解除しているとき、
他の特定の電子会議装置に表示される画像データに連動する画像データを、縮小して表示する縮小表示手段を有することを特徴とする請求項１〜６のいずれか１つに記載の電子会議装置。
【請求項８】
前記記憶手段は、特定の受信画像データの表示が途中で停止されたときに、当該特定の受信画像データにしおりを付与して記憶するしおり記憶部を有し、
前記表示手段は、前記入力手段に入力される指示に基づいて、前記しおり記憶部がしおりを付与して記憶した特定の受信画像データであるしおり付与画像データを基準として、画像データの表示を行うように構成されることを特徴とする請求項１〜７のいずれか１つに記載の電子会議装置。
【請求項９】
情報を送信するホスト装置と、請求項１〜８のいずれか１つに記載の電子会議装置であり前記ホスト装置から送信された情報を受信する受信装置とが、通信手段を介してデータ通信可能に連結されることを特徴とする電子会議システム。
【請求項１０】
前記受信装置の表示手段が表示する画像データを、前記ホスト装置に表示される画像データに強制的に連動させる場合、
前記ホスト装置は、強制的に連動させる画像データを特定可能な強制連動指示信号を、通信手段を介して前記受信装置に送信し、
強制連動指示信号を受信した受信装置では、強制的に連動させる画像データが前記ホスト装置に表示されたとき、連動制御部は、表示手段が表示する画像データを前記ホスト装置に表示される画像データに連動するように、表示手段を連動制御することを特徴とする請求項９に記載の電子会議システム。
【請求項１１】
前記強制連動指示信号を受信した受信装置では、
表示手段は、強制的に連動させる画像データが前記ホスト装置に表示されたことを示す通知を表示するように構成され、
連動制御部は、表示手段が通知を表示してから所定時間経過後に、表示手段が表示する画像データを前記ホスト装置に表示される画像データに連動するように、表示手段を連動制御することを特徴とする請求項１０に記載の電子会議システム。
【請求項１２】
前記ホスト装置は、
画像データの修正に関する指示を入力する指示入力手段と、
複数ページから成る画像データのうち、前記指示入力手段から入力される指示に基づいて、任意に修正された修正画像データを、修正前の画像データと差し替えるデータ差替手段とを備え、
前記データ差替手段が前記修正画像データを差し替えた場合、
前記ホスト装置は、前記修正画像データを、通信手段を介して前記受信装置に送信し、
前記修正画像データを受信した受信装置は、記憶手段が受信した修正画像データを記憶し、前記記憶手段に記憶された修正画像データを表示手段に表示可能となるように構成されることを特徴とする請求項９に記載の電子会議システム。
【請求項１３】
前記受信装置は、記憶手段に記憶された前記修正画像データを、修正前の画像データと差し替える受信データ差替手段を備えることを特徴とする請求項１２に記載の電子会議システム。
【請求項１４】
前記ホスト装置が備える前記データ差替手段は、修正画像データのうち、前記指示入力手段から入力されて予め領域指定された差替指定領域のみを、修正前の画像データの前記差替指定領域に対応した領域と差し替えることを特徴とする請求項１２に記載の電子会議システム。
【請求項１５】
前記ホスト装置は、前記データ差替手段が前記修正画像データを差し替えたときに、前記強制連動指示信号を、通信手段を介して前記受信装置に送信することを特徴とする請求項１２に記載の電子会議システム。
【請求項１６】
前記ホスト装置が備える前記指示入力手段が、ホスト装置に接続されたタッチペンであることを特徴とする請求項１２に記載の電子会議システム。
【発明の詳細な説明】
【技術分野】
【０００１】
本発明は、データ通信を行う通信手段を有する電子会議装置およびそれを用いた電子会議システムに関する。
【背景技術】
【０００２】
会議の効率化を図ることが可能な、電子会議システムが数多く提案されている。たとえば、特許文献１に開示される情報処理装置は、他の特定の情報処理装置とデータ通信を行う通信手段と、他の特定の情報処理装置から予め受信した受信画像データを表示する表示手段とを有して、表示手段が表示する受信画像データを他の特定の情報処理装置に表示される画像データに連動するように構成される。このような特許文献１に開示される情報処理装置は、電子会議システムとして利用する場合に、会議の参加者が使用する参加者用装置となり、他の特定の情報処理装置が会議の発表者が使用する発表者用装置となる。会議の発表者は、発表者用装置の表示手段に会議資料となる画像データを表示することによって会議を進行していく。参加者用装置の表示手段に表示される受信画像データは、発表者用装置の表示手段に表示される画像データと連動しているので、参加者用装置の表示手段にも発表者用装置の表示手段に表示される画像データがリアルタイムに表示されることになり、会議の参加者は、参加者用装置の表示手段に表示された受信画像データを閲覧しながら議論を行うことができる。
【０００３】
このように、特許文献１に開示される情報処理装置を電子会議システムとして利用する場合、会議の参加者は、発表者用装置に表示される画像データにあわせて、その都度操作しなくても、その場に応じた画像データを閲覧することができる。
【０００４】
【特許文献１】特開平４−１６０４６２号公報
【発明の開示】
【発明が解決しようとする課題】
【０００５】
しかしながら、特許文献１に開示される情報処理装置では、表示手段が表示する受信画像データは、他の特定の情報処理装置に表示される画像データに連動したものなので、会議の参加者は、受信画像データのうち、他の特定の情報処理装置に表示される画像データに対応する受信画像データ以外のデータを自由に閲覧することができない。
【０００６】
したがって本発明の目的は、他の特定の装置から予め受信した受信画像データを、他の特定の装置に連動した状態で閲覧することができるとともに、他の特定の装置に連動するのを解除して、所望の受信画像データを自由に閲覧することができる電子会議装置およびそれを用いた電子会議システムを提供することである。
【課題を解決するための手段】
【０００７】
本発明は、他の特定の電子会議装置とデータ通信を行う通信手段と、他の特定の電子会議装置から予め受信した受信画像データであって、所定の順番に並ぶ複数ページから成る受信画像データを記憶する記憶手段と、前記受信画像データを表示する表示手段とを有して、前記表示手段が表示する受信画像データを他の特定の電子会議装置に表示される画像データに連動するように構成された電子会議装置であって、
前記表示手段に表示する受信画像データに関する指示を入力する入力手段と、
前記入力手段から入力される指示に基づいて、前記表示手段を制御する制御手段とを有し、
前記制御手段は、
前記表示手段が表示する受信画像データを他の特定の電子会議装置に表示される画像データに連動するように、前記表示手段を連動制御する連動制御部と、
前記連動制御部が前記表示手段を連動制御するのを解除して、前記表示手段を受信画像データの全てにわたって表示可能にする連動制御解除部とを有し、
前記記憶手段は、前記受信画像データのうち、前記連動制御部によって連動制御されて、前記表示手段に表示される画像データを、予め登録して記憶する登録記憶部を有し、
前記登録記憶部によって予め登録されて記憶された登録画像データが、他の特定の電子会議装置に表示されたとき、前記連動制御部は、前記表示手段を連動制御し、
前記連動制御解除部が、前記連動制御部によって前記表示手段が連動制御されるのを解除しているとき、
受信画像データのうち、前記登録記憶部によって予め記憶される前記登録画像データを、連動制御部が連動制御して表示手段に表示させるまでのページ数に関する情報である演算情報を、他の特定の電子会議装置に表示される画像データに応じて、演算して算出する演算処理手段を有し、
前記表示手段は、前記演算処理手段によって算出される演算情報に基づいて、カウントダウン表示することを特徴とする電子会議装置である。
【０００９】
また本発明は、前記登録記憶部は、複数の登録画像データをそれぞれ個別のデータとして、登録して記憶することが可能であることを特徴とする。
【００１０】
また本発明は、前記登録記憶部は、複数の登録画像データをそれぞれ関連付けられた連続したデータとして、登録して記憶することが可能であることを特徴とする。
【００１２】
また本発明は、前記登録記憶部によって予め登録されて記憶された前記登録画像データが他の特定の電子会議装置に表示されて、前記連動制御部が前記表示手段を連動制御しているとき、
前記連動制御解除部は、前記連動制御部によって連動制御が開始されてから所定時間が経過するまで、前記連動制御部が前記表示手段を連動制御するのを解除しないように構成されることを特徴とする。
【００１３】
また本発明は、前記登録記憶部によって予め登録されて記憶された前記登録画像データが他の特定の電子会議装置に表示されて、前記連動制御部が前記表示手段を連動制御しているとき、
前記連動制御解除部は、前記連動制御部によって連動制御が開始されてから所定時間が経過した後、前記連動制御部が前記表示手段を連動制御するのを解除することが可能となるように構成されることを特徴とする。
【００１４】
また本発明は、前記表示手段は、受信画像データを表示しているときに、受信画像データに紐付けて登録されている関連データを表示する関連データ表示部を有することを特徴とする。
【００１５】
また本発明は、前記連動制御解除部が、前記連動制御部によって前記表示手段が連動制御されるのを解除しているとき、
他の特定の電子会議装置に表示される画像データに連動する画像データを、縮小して表示する縮小表示手段を有することを特徴とする。
【００１６】
また本発明は、前記記憶手段は、特定の受信画像データの表示が途中で停止されたときに、当該特定の受信画像データにしおりを付与して記憶するしおり記憶部を有し、
前記表示手段は、前記入力手段に入力される指示に基づいて、前記しおり記憶部がしおりを付与して記憶した特定の受信画像データであるしおり付与画像データを基準として、画像データの表示を行うように構成されることを特徴とする。
【００１７】
また本発明は、情報を送信するホスト装置と、前記電子会議装置であり前記ホスト装置から送信された情報を受信する受信装置とが、通信手段を介してデータ通信可能に連結されることを特徴とする電子会議システムである。
【００１８】
また本発明は、前記受信装置の表示手段が表示する画像データを、前記ホスト装置に表示される画像データに強制的に連動させる場合、
前記ホスト装置は、強制的に連動させる画像データを特定可能な強制連動指示信号を、通信手段を介して前記受信装置に送信し、
強制連動指示信号を受信した受信装置では、強制的に連動させる画像データが前記ホスト装置に表示されたとき、連動制御部は、表示手段が表示する画像データを前記ホスト装置に表示される画像データに連動するように、表示手段を連動制御することを特徴とする。
【００１９】
また本発明は、前記強制連動指示信号を受信した受信装置では、
表示手段は、強制的に連動させる画像データが前記ホスト装置に表示されたことを示す通知を表示するように構成され、
連動制御部は、表示手段が通知を表示してから所定時間経過後に、表示手段が表示する画像データを前記ホスト装置に表示される画像データに連動するように、表示手段を連動制御することを特徴とする。
【００２０】
また本発明は、前記ホスト装置は、
画像データの修正に関する指示を入力する指示入力手段と、
複数ページから成る画像データのうち、前記指示入力手段から入力される指示に基づいて、任意に修正された修正画像データを、修正前の画像データと差し替えるデータ差替手段とを備え、
前記データ差替手段が前記修正画像データを差し替えた場合、
前記ホスト装置は、前記修正画像データを、通信手段を介して前記受信装置に送信し、
前記修正画像データを受信した受信装置は、記憶手段が受信した修正画像データを記憶し、前記記憶手段に記憶された修正画像データを表示手段に表示可能となるように構成されることを特徴とする。
【００２１】
また本発明は、前記受信装置は、記憶手段に記憶された前記修正画像データを、修正前の画像データと差し替える受信データ差替手段を備えることを特徴とする。
【００２２】
また本発明は、前記ホスト装置が備える前記データ差替手段は、修正画像データのうち、前記指示入力手段から入力されて予め領域指定された差替指定領域のみを、修正前の画像データの前記差替指定領域に対応した領域と差し替えることを特徴とする。
【００２３】
また本発明は、前記ホスト装置は、前記データ差替手段が前記修正画像データを差し替えたときに、前記強制連動指示信号を、通信手段を介して前記受信装置に送信することを特徴とする。
【００２４】
また本発明は、前記ホスト装置が備える前記指示入力手段が、ホスト装置に接続されたタッチペンであることを特徴とする。
【発明の効果】
【００２５】
本発明によれば、記憶手段は、他の特定の電子会議装置から通信手段を介して予め受信した受信画像データであって、所定の順番に並ぶ複数ページから成る受信画像データを記憶する。そして、入力手段から入力される指示に基づいて、表示手段を制御する制御手段が、連動制御部と連動制御解除部とを有する。連動制御部は、表示手段が表示する受信画像データを他の特定の電子会議装置に表示される画像データに連動するように、表示手段を連動制御する。そして、連動制御解除部は、連動制御部が表示手段を連動制御するのを解除して、表示手段を受信画像データの全てにわたって表示可能にする。そのため、装置の利用者は、入力手段に指示を入力することによって、受信画像データを、他の特定の電子会議装置に連動した状態で閲覧することができるとともに、他の特定の電子会議装置に連動するのを解除して、所望の受信画像データを自由に閲覧することができる。
【００２６】
また、記憶手段が有する登録記憶部によって予め登録されて記憶された登録画像データが、他の特定の電子会議装置に表示されたとき、連動制御部が表示手段を連動制御する。そのため、受信画像データのうち、他の特定の電子会議装置に表示される画像データに連動させて表示させる画像データを予め登録しておくことができる。
また、連動制御解除時に、演算処理手段は、連動制御部が表示手段を連動制御して表示手段に登録画像データを表示させるまでのページ数に関する情報を、他の特定の電子会議装置に表示される画像データに応じて、演算して算出する。そして、表示手段は、演算処理手段によって算出される演算情報に基づいて、カウントダウン表示する。そのため、装置の利用者は、表示手段に表示される画像データが連動表示されるまでのページ数を認識することができる。
【００２７】
また本発明によれば、記憶手段が有する登録記憶部は、複数の登録画像データをそれぞれ個別のデータとして、登録して記憶する。そのため、登録画像データを他の特定の電子会議装置に表示される画像データに連動して表示させるとき、複数の登録画像データをそれぞれ個別のデータとして予め登録しておくことができる。
【００２８】
また本発明によれば、記憶手段が有する登録記憶部は、複数の登録画像データをそれぞれ関連付けられた連続した画像データとして、登録して記憶する。そのため、登録画像データを他の特定の電子会議装置に表示される画像データに連動して表示させるとき、複数の登録画像データをそれぞれ関連付けられた連続したデータとして予め登録しておくことができる。
【００３０】
また本発明によれば、登録記憶部によって予め記憶された登録画像データが他の特定の電子会議装置に表示されて、連動制御部が表示手段を連動制御しているとき、連動制御解除部は、連動制御部によって連動制御が開始されてから所定時間が経過するまで、連動制御部が表示手段を連動制御するのを解除しないように構成される。そのため、所定時間経過するまでに、連動制御部によって表示手段が連動制御されているのが解除されるのを防止することができる。
【００３１】
また本発明によれば、登録記憶部によって予め記憶された登録画像データが他の特定の電子会議装置に表示されて、連動制御部が表示手段を連動制御しているとき、連動制御解除部は、連動制御部によって連動制御が開始されてから所定時間が経過した後、連動制御部が表示手段を連動制御するのを解除することが可能となるように構成される。そのため、所定時間経過後に、連動制御部が表示手段を連動制御しているのを解除することができる。
【００３２】
また本発明によれば、表示手段は、受信画像データを表示しているときに、受信画像データに紐付けて登録されている関連データを表示する関連データ表示部を有する。そのため、装置の利用者は、表示手段に表示される受信画像データを閲覧しながら、関連データ表示部に表示される受信画像データに関連する関連データを確認することができる。
【００３３】
また本発明によれば、表示手段は、連動制御解除部が連動制御部によって表示手段が連動制御されるのを解除しているときに、他の特定の電子会議装置に表示される画像データに連動する画像データを、縮小して表示する縮小表示手段を有する。そのため、装置の利用者は、連動制御解除時に、所望の受信画像データを自由に閲覧しながら、他の特定の電子会議装置に連動して縮小表示手段に表示される画像データを確認することができる。
【００３４】
また本発明によれば、記憶手段が有するしおり記憶部は、特定の受信画像データの表示が途中で停止されたときに、当該特定の受信画像データにしおりを付与して記憶する。そして、表示手段は、入力手段に入力される指示に基づいて、しおり記憶部がしおりを付与して記憶した特定の受信画像データであるしおり付与画像データを基準として、画像データの表示を行う。そのため、特定の受信画像データの表示が途中で停止された場合でも、当該特定の受信画像データを再度表示することができる。
【００３５】
また本発明によれば、電子会議システムは、情報を送信するホスト装置と、前記電子会議装置でありホスト装置から送信された情報を受信する受信装置とが、通信手段を介してデータ通信可能に連結される。この電子会議システムにおいては、受信装置の入力手段から入力される指示に基づいて、ホスト装置に表示される画像データに連動した画像データを受信装置に表示することができるとともに、ホスト装置に表示される画像データ以外の所望の画像データを受信装置に表示することができる。
【００３６】
また本発明によれば、受信装置の表示手段が表示する画像データを、ホスト装置に表示される画像データに強制的に連動させる場合、ホスト装置は、強制的に連動させる画像データを特定可能な強制連動指示信号を、通信手段を介して受信装置に送信する。そして、強制連動指示信号を受信した受信装置では、強制的に連動させる画像データがホスト装置に表示されたとき、連動制御部は、表示手段が表示する画像データをホスト装置に表示される画像データに連動するように表示手段を連動制御する。そのため、受信装置の表示手段が表示する画像データを、ホスト装置に表示される画像データに強制的に連動させることができる。
【００３７】
また本発明によれば、強制連動指示信号を受信した受信装置では、表示手段は、強制的に連動させる画像データがホスト装置に表示されたことを示す通知を表示する。そして、受信装置の連動制御部は、表示手段が通知を表示してから所定時間経過後に、表示手段が表示する画像データをホスト装置に表示される画像データに連動するように、表示手段を連動制御する。そのため、受信装置の表示手段が表示する画像データを、通知表示して所定時間経過後に、ホスト装置に表示される画像データに強制的に連動させることができる。
【００３８】
また本発明によれば、ホスト装置は、指示入力手段から入力される指示に基づいて、任意に修正された修正画像データを、修正前の画像データと差し替えるデータ差替手段を備える。たとえば、システムの利用者が、複数ページから成る画像データのうち特定のページに、誤字脱字や誤った内容の記載を見つけて、任意に修正して修正画像データを作成した場合、データ差替手段が指示入力手段から入力される指示に基づいて、修正画像データに差し替える。そして、ホスト装置は、修正画像データを通信手段を介して受信装置に送信する。修正画像データを受信した受信装置は、記憶手段が受信した修正画像データを記憶し、記憶手段に記憶された修正画像データを表示手段に表示可能となるように構成されている。これによって、受信装置を操作する利用者は、ホスト装置において作成された修正画像データを、記憶手段から読み出して表示手段に表示させて閲覧することができる。
【００３９】
また本発明によれば、受信装置は、記憶手段に記憶された修正画像データを、修正前の画像データと差し替える受信データ差替手段を備える。これによって、受信装置を操作する利用者は、受信データ差替手段によって差し替えられた修正画像データを自由に閲覧することができる。
【００４０】
また本発明によれば、ホスト装置が備えるデータ差替手段は、修正画像データのうち、指示入力手段から入力されて予め領域指定された差替指定領域のみを、修正前の画像データの差替指定領域に対応した領域と差し替える。このように、データ差替手段が差替指定領域のみを差し替えるので、効率よく画像データを差し替えることができる。
【００４１】
また本発明によれば、ホスト装置は、データ差替手段が修正画像データを差し替えたときに、強制連動指示信号を、通信手段を介して受信装置に送信する。これによって、ホスト装置において任意に修正されて作成された修正画像データを、通信手段を介して接続される全ての受信装置の表示手段に強制的に連動表示させることができる。
【００４２】
また本発明によれば、ホスト装置が備える指示入力手段が、ホスト装置に接続されたタッチペンである。ホスト装置を操作する利用者は、タッチペンを用いて、画像データの修正に関する指示を入力することができる。
【発明を実施するための最良の形態】
【００４３】
図１は、本発明の第１実施形態における電子会議システム１００の全体構成を示す図である。電子会議システム１００は、複数の出席者が会議などを行うときに利用するシステムである。電子会議システム１００は、会議の発表者が使用する電子会議装置（以下、「ホスト装置」）５０と、会議の参加者が使用する複数の電子会議装置（以下、「受信装置」）１０〜１９とが、ネットワーク１０１を介して、データ通信可能に連結されている。受信装置１０〜１９はそれぞれ同様に構成されており、以下では、複数の受信装置１０〜１９を総称する場合は、受信装置１０として説明する。ネットワーク１０１は、たとえば、Ｅｔｈｅｒｎｅｔ（登録商標）で構成されたＬＡＮ（Local Area Network）である。電子会議システム１００においては、ホスト装置５０から受信装置１０に対して、データ通信を継続する動作信号が送信されているときに、システムの利用が可能となるように構成されている。
【００４４】
電子会議システム１００を利用して会議を行う場合には、会議の発表者は、ホスト装置５０の表示手段に会議資料である画像データを表示することによって会議を進行していく。このとき、ホスト装置５０の表示手段に表示される画像データは、ネットワーク１０１を介して受信装置１０に予め送信される。そして、受信装置１０の表示手段は、ホスト装置５０から送信された画像データであり、予め受信した受信画像データを表示可能となっている。なお、受信装置１０に表示される受信画像データは、ホスト装置５０の表示手段に表示される画像データに対応したデータを、外付メモリであるＵＳＢメモリ２０などに予め記憶しておき、そのＵＳＢメモリ２０から読み出すようにしてもよい。本実施の形態では、受信装置１０は、ＵＳＢメモリ２０から受信画像データを読み出すように構成されている。たとえば、図１では、受信装置１０〜１９のうち、ＵＳＢメモリ２０が接続された受信装置１０，１１，１２，１４，１６，１７，１９の表示手段には、ホスト装置５０の表示手段に表示される画像データに対応した受信画像データが表示されている。ここで、画像データは、ＣＡＤ（Computer Aided Design）図面や各種ワープロソフトなどで作成された文書データから成るデータであり、複数のページから成って、所定の順番に並んでいる。
【００４５】
図２は、電子会議システム１００における受信装置１０の構成を示すブロック図である。また、図３は、受信装置１０が有するディスプレイ７の構成の一例を示す図である。受信装置１０は、通信手段１と、制御手段２と、記憶手段５と、演算処理手段６と、ディスプレイ７とを含んで構成され、ディスプレイ７には、表示手段３と、入力手段４と、縮小表示手段８とが配置されている。通信手段１は、ネットワーク１０１に接続するためのインターフェースであり、たとえば、モデムやＬＡＮカードによって実現される。
【００４６】
記憶手段５は、ＵＳＢメモリ２０から読み出された受信画像データを記憶する手段である。また、記憶手段５は、ネットワーク１０１を介してホスト装置５０から予め送信された画像データであり、通信手段１を介して予め受信した画像データを受信画像データとして記憶するように構成してもよい。記憶手段５としては、たとえば、リードオンリィメモリ（ＲＯＭ）、ランダムアクセスメモリ（ＲＡＭ）、ハードディスクドライブ（ＨＤＤ）などを挙げることができる。ディスプレイ７は、液晶ディスプレイ（Liquid Crystal
Display、略称ＬＣＤ）、プラズマディスプレイ（Plasma Display Panel、略称ＰＤＰ）、表面電子放出型フィールドエミッションディスプレイ（Surface conduction Electron
emitter Display、略称ＳＥＤ）などのフラットパネルディスプレイ（Flat Panel
Display、略称ＦＰＤ）を挙げることができ、本実施の形態ではＬＣＤである。
【００４７】
ディスプレイ７に配置される入力手段４は、後述する表示手段３に表示される受信画像データに関する指示を入力する手段であり、たとえば、タッチパネルである。入力手段４は、表示手段３が有するデータ表示面３０を覆うように一体的に形成され、データ表示面３０に表示させる受信画像データに対する指示を入力するデータ入力面４０を有する。データ入力面４０は、ガラス等から成る透明な透過部材で構成される。入力手段４においては、データ入力面４０上で、操作部材であるタッチペンなどの先端で押圧操作あるいは筆記操作することによって、受信画像データに対する指示を入力する。本実施の形態では、図３に示すように、データ入力面４０には、会議の参加者が指示を入力するボタンとなる指示ボタン４１〜４９が配置されている。会議の参加者は、指示ボタンをタッチペンで押圧することによって、データ表示面３０に表示させる受信画像データに対する指示を入力することができる。
【００４８】
連動ボタン４１は、データ表示面３０に表示させる受信画像データを、ホスト装置５０に表示される画像データに連動させるときに連動指示を入力する指示ボタンである。連動解除ボタン４２は、データ表示面３０に表示させる受信画像データが、ホスト装置５０に表示される画像データに連動するのを解除させるときに連動解除指示を入力する指示ボタンである。本実施の形態においては、連動ボタン４１または連動解除ボタン４２のいずれかが押圧されて、制御手段２が表示手段３を制御して表示手段３に受信画像データを表示させている。連動ボタン４１または連動解除ボタン４２のうち、押圧された方のボタンの色が反転して選択された状態となる。
【００４９】
指示ボタン４３〜４９は、連動解除ボタン４２が押圧されて、連動解除されている場合にのみ、操作が可能な指示ボタンである。連動入力ボタン４３および連動ページ番号入力ボタン４８は、記憶手段５が記憶する受信画像データのうち、ホスト装置５０に表示される画像データと連動させたい受信画像データを予め登録するときに、たとえば、登録する受信画像データのページ番号などを入力するための指示ボタンである。登録ボタン４４は、連動入力ボタン４３によって入力して、ホスト装置５０に表示される画像データと連動させたい受信画像データを予め登録するときに連動画像登録指示を入力する指示ボタンである。削除ボタン４５は、登録ボタン４４によって登録した登録画像データについて、登録を解除するときに連動画像登録削除指示を入力する指示ボタンである。登録された登録画像データがない場合、削除ボタン４５は、グレイアウト表示されて操作不能となる。連動登録確認ボタン４６は、登録ボタン４４によって登録した登録画像データのページ番号などを確認するときに使用する指示ボタンである。登録された登録画像データが１つの場合、連動登録確認ボタン４６は、グレイアウト表示されて操作不能となる。
【００５０】
しおりボタン４７は、特定の画像データにしおりを付与して記憶手段５に記憶させるときのしおり付与指示と、しおりが付与されたしおり付与画像データをデータ表示面３０に表示させるときに付与画像表示指示を入力する指示ボタンである。データ送りボタン４９は、連動解除ボタン４２によって、データ表示面３０に表示させる受信画像データが、ホスト装置５０に表示される画像データに連動するのを解除されているときに、データ表示面３０に表示させる受信画像データを、順次送るときにデータ送り指示を入力する指示ボタンである。
【００５１】
制御手段２は、入力手段４から入力される指示に基づいて、後述する表示手段３を制御し、たとえば、プログラマブルコントローラなどによって実現される。制御手段２は、連動制御部２ａと連動制御解除部２ｂとを有する。連動制御部２ａは、連動ボタン４１が押圧されて連動指示が入力されたとき、表示手段３が表示する受信画像データを、ホスト装置５０に表示される画像データに連動するように、表示手段３を連動制御する。また、連動制御解除部２ｂは、連動解除ボタン４２が押圧されて連動解除指示が入力されたとき、連動制御部２ａが表示手段３を連動制御するのを解除する。そのため、会議の参加者は、連動ボタン４１を押圧することによって、会議の発表者が使用しているホスト装置５０に表示される画像データに連動した状態で、受信画像データをリアルタイムに閲覧することができる。また、会議の参加者は、連動解除ボタン４２を押圧することによって連動を解除することができ、記憶手段５に記憶される受信画像データのうち所望の受信画像データを、データ送りボタン４９を押圧して自由に閲覧することができる。
【００５２】
また、前述した記憶手段５は、登録記憶部５ａと、しおり記憶部５ｂとを有する。登録記憶部５ａは、登録ボタン４４が押圧されて連動画像登録指示が入力されたとき、連動制御部２ａによって連動制御されて表示手段３が表示する受信画像データを、予め登録して記憶する。登録記憶部５ａは、削除ボタン４５が押圧されて連動画像登録削除指示が入力されたとき、予め登録して記憶している受信画像データである登録画像データの登録を解除する。
【００５３】
また、登録記憶部５ａは、連動ページ番号入力ボタン４８が押圧されて所望の受信画像データのページ番号が入力され、登録ボタン４４が押圧されて連動画像登録指示が複数回にわたって繰返し入力されたとき、複数の受信画像データをそれぞれ個別のデータとして、登録して記憶する。また、登録記憶部５ａは、たとえば、「５」と「８」とが連動ページ番号入力ボタン４８から所定時間の間隔をあけて入力され、登録ボタン４４が押圧されて連動画像登録指示が入力されたとき、５〜８ページの複数の受信画像データを連続したデータとして、登録して記憶する。このように、登録記憶部５ａによって予め登録されて記憶された登録画像データが、ホスト装置５０に表示されたとき、連動制御部２ａは、後述する表示手段３を連動制御する。
【００５４】
このとき、連動制御部２ａが表示手段３を連動制御することを示すメッセージを表示するように構成されてもよく、メッセージを表示するとともに、連動制御を開始してもよいか否かを選択可能に構成されてもよい。たとえば、登録記憶部５ａによって予め登録されて記憶された登録画像データがホスト装置５０に表示されたとき、「はい」および「いいえ」のメッセージを表示し、このメッセージが連動制御開始か否かを選択可能な指示入力ボタンとなるように構成する。「はい」が選択された場合には、連動制御部２ａが表示手段３を連動制御し、「いいえ」が選択された場合には、連動制御解除部２ｂが連動制御を解除する。これによって、受信装置１０を使用する会議の参加者は、メッセージを確認して、前述したしおりボタン４７を押圧し、その時点で表示手段３に表示されている受信画像データにしおりを付与する指示を入力した後に、「はい」を選択して連動制御部２ａに連動制御させることができる。
【００５５】
また、連動制御部２ａが登録記憶部５ａによって予め記憶された登録画像データに関して表示手段３を連動制御しているとき、連動制御解除部２ｂは、連動制御部２ａによって連動制御が開始されてから所定時間が経過するまで、連動制御部２ａが表示手段３を連動制御するのを解除しないように構成されてもよく、所定時間経過後に連動制御部２ａが表示手段３を連動制御するのを解除することが可能となるように構成されてもよい。
【００５６】
しおり記憶部５ｂは、しおりボタン４７が押圧されてしおり付与指示が入力されたとき、特定の受信画像データにしおりを付与して記憶する。このように、しおり記憶部５ｂによってしおりを付与されて記憶されたしおり付与画像データは、しおりボタン４７が再度押圧されて付与画像表示指示が入力されたとき、表示手段３によって表示される。そのため、しおり付与されたしおり付与画像データの表示が途中で停止された場合でも、当該画像データを再度表示することができる。
【００５７】
演算処理手段６は、連動制御解除時に、連動制御部２ａが後述する表示手段３を連動制御して、登録画像データを表示手段３に表示させるまでのページ数に関する情報である演算情報を、ホスト装置５０に表示される画像データに応じて、演算して算出する。たとえば、複数のページから成る受信画像データのうち、５〜８ページの受信画像データが登録画像データとして登録記憶部５ａによって記憶されており、ホスト装置５０の表示手段に２ページ目が表示されている場合、演算処理手段６は、表示手段３が連動制御されるまでの残りページが「３」である演算情報を算出する。このように、演算処理手段６によって算出された演算情報は、表示手段３によってカウントダウン表示される。これによって、受信装置１０を使用する会議の参加者は、表示手段３に表示される受信画像データが連動表示されるまでのページ数を確認することができる。
【００５８】
ディスプレイ７に配置される表示手段３は、受信画像データを表示する手段である。表示手段３は、データ表示面３０を有する。本実施の形態では、データ表示面３０は、液晶パネルであり、薄膜トランジスタ回路とカラーフィルタとを形成したガラス基板の間に液晶材料が封入される液晶セルである受信画像データを表示する表示面となる。
【００５９】
データ表示面３０には、画像データ表示部３０ａと、カウントダウン表示部３０ｂと、関連データ表示部３０ｃと、お知らせ表示部３０ｄとが配置されている。
【００６０】
画像データ表示部３０ａは、連動制御部２ａが表示手段３を連動制御しているとき、および連動制御解除部２ｂが表示手段３を連動制御解除しているときに、受信画像データを表示する領域である。カウントダウン表示部３０ｂは、演算処理手段６が算出した演算情報をカウントダウン表示する領域である。関連データ表示部３０ｃは、画像データ表示部３０ａに表示した受信画像データに紐付けて登録されている関連データを表示する領域である。ここで、関連データとは、画像データ表示部３０ａに表示される受信画像データを補足説明するデータであり、たとえば、文書から成る受信画像データの文字を説明する説明文書や図面データであったり、グラフなどである。関連データ表示部３０ｃが関連データを表示することによって、受信装置１０を使用する会議の参加者は、画像データ表示部３０ａに表示される受信画像データを閲覧しながら、関連データ表示部３０ｃに表示される関連データを確認することができる。
【００６１】
お知らせ表示部３０ｄは、ホスト装置５０からネットワーク１０１を介して後述する強制連動指示信号が送信されて、強制的に連動される画像データがホスト装置５０に表示された場合に、通知を表示する。このように、お知らせ表示部３０ｄが通知を表示してから所定時間経過後に、連動制御部２ａは、表示手段３を連動制御する。たとえば、強制的に連動される画像データがホスト装置５０に表示された場合に、お知らせ表示部３０ｄは、「５秒後に連動ページへジャンプします」などのメッセージを表示する。この場合、お知らせ表示部３０ｄがメッセージを表示してから５秒後に、連動制御部２ａが表示手段３を連動制御する。これによって、受信装置１０を使用する会議の参加者は、通知表示を確認してから所定時間が経過するまでの間に、前述したしおりボタン４７を押圧して、その時点で表示手段３に表示されている受信画像データにしおりを付与する指示を入力することができる。また、お知らせ表示部３０ｄは、強制的に連動される画像データのページ番号などを表示するように構成されてもよい。これによって、会議の参加者は、複数ページから成る画像データのうち、強制的に連動される画像データのページ番号を認識することができる。
【００６２】
ディスプレイ７に配置される縮小表示手段８は、連動制御解除部２ｂが表示手段３を連動制御解除しているときに、ホスト装置５０に表示される画像データに連動する画像データを縮小して表示するサムネイル表示手段である。これによって、受信装置１０を使用する会議の参加者は、連動制御解除時に、所望の受信画像データを自由に閲覧しながら、ホスト装置５０に連動して縮小表示手段８に表示される画像データを確認することができる。また、縮小表示手段８のデータ表示面８０は、表示手段３が連動制御されているときには、グレイアウト表示される。
【００６３】
図４は、電子会議システム１００におけるホスト装置５０が有する表示手段のデータ表示面６０および入力手段のデータ入力面７０の一例を示す図である。ホスト装置５０は、前述したように、受信装置１０とネットワーク１０１を介してデータ通信可能に連結されており、会議の発表者が使用する電子会議装置である。ホスト装置５０は、画像データを表示する表示手段と、受信装置１０への指示を入力する入力手段とを含んで構成される。ホスト装置５０の表示手段は、図４に示すように、データ表示面６０を有し、データ表示面６０には、画像データ表示部６１と、関連データ表示部６２と、連動状況表示部６３とが配置されている。画像データ表示部６１は、前述した受信装置１０が有する画像データ表示部３０ａと同様に構成される。この画像データ表示部６１に表示される画像データが、受信装置１０において、連動および連動解除の対象となる。また、関連データ表示部６２は、前述した受信装置１０が有する関連データ表示部３０ｃと同様に構成される。連動状況表示部６３は、ネットワーク１０１を介して連結される各受信装置の連動制御部が、連動制御しているか否かの状況を表示する。たとえば、ネットワーク１０１を介して連結される１〜Ｎ台の受信装置のうち、連動制御していない受信装置に対応して赤色などの色表示をする。
【００６４】
また、ホスト装置５０の入力手段は、図４に示すように、データ入力面７０を有し、データ入力面７０には、会議の発表者が指示を入力するボタンとなる指示ボタン７１〜７８が配置されている。会議の発表者は、指示ボタンをタッチペンで押圧することによって、受信装置１０への指示を入力することができる。
【００６５】
強制連動ボタン７１は、受信装置１０に表示させる受信画像データを、ホスト装置５０に表示される画像データに、強制的に連動させるときに強制連動指示を入力する指示ボタンである。強制連動ボタン７１が押圧されて強制連動指示が入力されたとき、ホスト装置５０は、強制的に連動させる画像データを特定可能な強制連動指示信号を、ネットワーク１０１を介して受信装置１０に送信する。強制連動指示信号を受信した受信装置１０では、登録記憶部５ａが、強制的に連動される画像データに対応した受信画像データを登録して記憶する。そして、強制的に連動される画像データがホスト装置５０に表示されたとき、連動制御部２ａは、表示手段３が表示する受信画像データをホスト装置５０に表示される画像データに連動するように、表示手段３を連動制御する。これによって、会議の発表者が参加者に対して、是非閲覧して欲しい画像データを強制的に、参加者が使用する受信装置１０に表示させることができる。
【００６６】
強制連動入力ボタン７２および強制連動ページ番号入力ボタン７６は、強制連動させたい画像データを予め登録するときに、たとえば、登録する画像データのページ番号などを入力するための指示ボタンである。強制登録ボタン７３は、強制連動入力ボタン７２によって入力して、強制連動させる画像データを予め登録するときに強制連動画像登録指示を入力する指示ボタンである。強制削除ボタン７４は、強制登録ボタン７３によって登録した画像データについて、強制連動させる登録を解除するときに強制連動画像登録削除指示を入力する指示ボタンである。この強制削除ボタン７４が押圧されて、強制連動画像登録削除指示が入力されたとき、強制連動が解除される。また、ホスト装置５０の表示手段に、強制連動登録された画像データ以外の画像データが表示された時点で、強制連動が解除されて、受信装置１０において、連動解除操作を行うことが可能となる。強制連動登録確認ボタン７５は、強制登録ボタン７３によって登録した画像データのページ番号などを確認するときに使用する指示ボタンである。しおりボタン７７は、受信装置１０が有する前述のしおりボタン４７と同様に構成される。データ送りボタン７８は、画像データ表示部６１に表示される画像データを、順次送るときに使用する指示ボタンである。
【００６７】
図５は、電子会議システム１００における受信装置１０およびホスト装置５０の動作を示すフローチャートである。図５（ａ）がホスト装置５０の動作を示すフローチャートであり、図５（ｂ）が受信装置１０の動作を示すフローチャートである。電子会議システム１００においては、ホスト装置５０からデータ通信を開始する動作信号が受信装置１０に送信されて、各装置の動作が開始される。このとき、ホスト装置５０の画像データ表示部６１には、会議に使用する所望の画像データが表示されている。そして、受信装置１０の画像データ表示部３０ａには、ホスト装置５０に表示される画像データに対応したデータであり、ＵＳＢメモリ２０に予め記憶された受信画像データが読み出されて表示されている。まず、ステップｓ１では、ホスト装置５０は、強制連動指示が入力されたか否かを判断し、指示が入力されたと判断すると、ステップｓ２に進む。このとき、強制連動指示は、データ入力面７０に配置される強制連動ボタン７１が押圧されることによって入力される。ステップｓ２では、ホスト装置５０は、ネットワーク１０１を介して強制連動指示信号を受信装置１０に送信する。
【００６８】
受信装置１０では、ステップａ１において、ホスト装置５０から送信された強制連動指示信号を受信したか否かを判断する。強制連動指示信号を受信したと判断するとステップａ２に進み、受信していないと判断するとステップａ４に進む。ステップａ２では、受信装置１０の連動制御部２ａが表示手段３を連動制御する。このとき、表示手段３の画像データ表示部３０ａは、ホスト装置５０に表示される画像データと連動した画像データを表示し、関連データ表示部３０ｃは、関連データを表示する。ステップａ３では、受信装置１０は、強制連動が解除されたか否かを判断する。このとき、ホスト装置５０において強制連動画像登録削除指示が入力された場合に、強制連動が解除される。ステップａ３において、強制連動が解除されたと判断すると、ステップａ４に進む。ステップａ４では、受信装置１０は、連動解除指示が入力されたか否かを判断する。このとき、連動解除指示は、連動解除ボタン４２が押圧されることによって入力される。連動解除指示が入力されたと判断した場合にはステップａ５に進み、連動解除指示が入力されていないと判断した場合にはステップａ１１に進む。
【００６９】
次にステップａ５では、受信装置１０の連動制御解除部２ｂが連動制御を解除する。これによって、受信装置１０を使用する会議の参加者は、所望の画像データを自由に閲覧することができる。次にステップａ６では、受信装置１０は、連動画像登録指示が入力されたか否かを判断する。このとき、連動画像登録指示は、登録ボタン４４が押圧されることによって入力される。連動画像登録指示が入力されたと判断した場合にはステップａ７に進む。ステップａ７では、受信装置１０の登録記憶部５ａは、連動画像登録指示に基づいて、画像データを予め登録して記憶する。このとき、演算処理手段６は、登録記憶部５ａによって記憶される画像データを表示手段３に表示させるまでのページ数に関する演算情報を、ホスト装置５０に表示される画像データに応じて、演算して算出する。そして、表示手段３のカウントダウン表示部３０ｂは、演算処理手段６によって算出された演算情報をカウントダウン表示する。次にステップａ８では、登録記憶部５ａによって記憶される画像データがホスト装置５０に表示されたときに、受信装置１０の連動制御部２ａが表示手段３を連動制御する。これによって、表示手段３の画像データ表示部３０ａは、ホスト装置５０に表示される画像データであり、登録記憶部５ａが予め記憶した画像データを表示する。
【００７０】
また、ステップａ６において、連動画像登録指示が入力されていないと判断された場合にはステップａ９に進む。ステップａ９では、受信装置１０は、データ送り指示が入力されたか否かを判断する。このとき、データ送り指示は、データ送りボタン４９が押圧されることによって入力される。データ送り指示が入力されたと判断した場合にはステップａ１０に進む。ステップａ１０では、表示手段３の画像データ表示部３０ａは、データ送り指示に基づいて、画像データを順次送って表示する。このとき、関連データ表示部３０ｃは、画像データ表示部３０ａに表示される画像データに関連する関連データを表示し、縮小表示手段８は、ホスト装置５０に表示される画像データを縮小して表示する。このようにして、受信装置１０を使用する会議の参加者は、データ送りボタン４９を押圧することによって、ホスト装置５０に表示される画像データ以外の所望の画像データを自由に閲覧することができる。
【００７１】
ホスト装置５０では、ステップｓ３において、会議の発表者が会議を終了すると判断した場合に、ホスト装置５０からの動作信号の送信を終了させる。このとき、受信装置１０では、ステップａ１１において、ホスト装置５０から動作信号の送信が終了されたか否かを判断する。動作信号の送信が終了されていないと判断した場合には、ステップａ１に戻って、受信装置１０の動作を継続する。また、動作信号の送信が終了されたと判断した場合には、受信装置１０の動作を終了する。
【００７２】
図６は、本発明の第２実施形態における電子会議システム２００の全体構成を示す図である。電子会議システム２００は、第１実施形態の電子会議システム１００に類似し、対応する部分については同一の参照符号を付して説明を省略する。電子会議システム２００は、ホスト装置２５０と受信装置２１０〜２１９とが、ネットワーク１０１を介して、データ通信可能に連結されている。受信装置２１０〜２１９はそれぞれ同様に構成されており、以下では、複数の受信装置２１０〜２１９を総称する場合は、受信装置２１０として説明する。
【００７３】
電子会議システム２００においては、受信装置２１０の利用者は、前述した電子会議システム１００と同様に、入力手段に指示を入力することによって、受信画像データを、ホスト装置２５０に連動した状態で閲覧することができるとともに、ホスト装置２５０に連動するのを解除して、所望の受信画像データを自由に閲覧することが可能である。
【００７４】
図７は、受信装置２１０が有するディスプレイの構成の一例を示す図である。また、図８は、紹介者選択ボタン２４１の表示の一例を示す図である。受信装置２１０は、前述した受信装置１０に類似し、対応する部分については同一の参照符号を付して説明を省略する。受信装置２１０における受信装置１０とは異なる特徴的な構成は、入力手段２０４が有するデータ入力面２４０には、紹介者選択ボタン２４１および紹介ボタン２４２が配置されていることである。
【００７５】
紹介者選択ボタン２４１は、受信装置２１０を操作する利用者が受信画像データを閲覧中に、たとえば、誤字脱字や誤った内容の記載を見つけた場合に、その該当ページを知らせたい会議の参加者を選択するときに紹介者選択指示を入力する指示ボタンである。紹介者選択ボタン２４１は、電子会議システム２００が有する受信装置２１０〜２１９にそれぞれ個別に対応して複数設けられており、図８（ａ）に示すように、ＵＳＢメモリ２０が接続された受信装置２１０に対応した紹介者選択ボタン２４１がグレー色などの色表示をする。そして、複数の紹介者選択ボタン２４１のうち、所望のボタンが押圧されて紹介者選択指示が入力されると、図８（ｂ）に示すように、押圧された紹介者選択ボタン２４１が赤色などの色表示をする。
【００７６】
紹介ボタン２４２は、紹介者選択ボタン２４１によって選択された受信装置２１０に対して、誤った内容の記載の該当ページを紹介するときに紹介指示を入力する指示ボタンである。該当ページが画像データ表示部３０ａに表示された状態で、紹介ボタン２４２が押圧されると、紹介者選択ボタン２４１によって選択された受信装置２１０のお知らせ表示部３０ｄには、該当ページのページ番号を含んだメッセージが表示される。
【００７７】
図９は、電子会議システム２００におけるホスト装置２５０が有する表示手段のデータ表示面２５４および入力手段のデータ入力面２５１の一例を示す図である。ホスト装置２５０は、前述したホスト装置５０に類似し、対応する部分については同一の参照符号を付して説明を省略する。ホスト装置２５０におけるホスト装置５０とは異なる特徴的な構成は、データ差替手段（不図示）を備え、表示手段のデータ表示面２５４にはお知らせ表示部２５５が配置され、入力手段のデータ入力面２５１にはモード切替ボタン２５２および差し替えボタン２５３が配置されていることである。
【００７８】
データ表示面２５４に配置されるお知らせ表示部２５５は、通常グレイアウト表示されているが、受信装置２１０において紹介ボタン２４２が押圧されて紹介指示が入力されると、赤色などの色表示をする。そして、色表示された状態で、お知らせ表示部２５５が押圧されると、前記該当ページが画像データ表示部６１に表示される。これによって、ホスト装置２５０を操作する会議の発表者は、誤った内容の記載の該当ページを閲覧することができる。
【００７９】
データ入力面２５１に配置されるモード切替ボタン２５２は、ホスト装置２５０を操作する会議の発表者が、「ページ送りモード」または「差し替えモード」のいずれのモードでホスト装置２５０を操作するかを選択するときに、モード切替指示を入力する指示ボタンである。ボタンが押圧されてモード切替指示が入力されると、押圧されたボタンが緑色などの色表示をする。ここで、「ページ送りモード」は、会議の発表者が画像データ表示部６１に表示される画像データに基づいて、会議を進行していくときに使用するモードである。
【００８０】
「差し替えモード」は、画像データ表示部６１に表示される画像データを任意に修正し、修正された修正画像データを修正前の画像データと差し替えるときに使用するモードである。ホスト装置２５０を操作する会議の発表者は、「差し替えモード」が選択されている状態で、マウスやキーボードなどを使用して、画像データ表示部６１に表示されている画像データの誤字脱字や誤った内容の記載を修正して、修正画像データを作成する。
【００８１】
データ入力面２５１に配置される差し替えボタン２５３は、モード切替ボタン２５２が押圧されて「差し替えモード」が選択されている状態で、画像データ表示部６１に表示される画像データを任意に修正された修正画像データに差し替える差替指示を入力する指示ボタンである。
【００８２】
図１０は、ホスト装置２５０において、画像データ表示部６１に表示される画像データを修正画像データに差し替える手順を説明する図である。差し替えボタン２５３が押圧されて差替指示が入力されると、ホスト装置２５０のデータ差替手段は、図１０（ａ）に示すように、自装置の画像データ表示部６１に表示されている画像データを、表示されるページの全範囲にわたって、修正画像データに差し替える。また、データ差替手段は、図１０（ｂ）に示すように、画像データ表示部６１に修正画像データが表示されている状態で、表示されるページのうち、タッチペン２５６によって筆記操作されて領域指定された差替指定領域のみを、修正前の画像データの前記差替指定領域に対応した領域と差し替えるようにしてもよい。これによって、データ差替手段は、効率よく画像データを差し替えることができる。また、データ差替手段は、画像データの差し替えが完了すると、修正画像データをネットワーク１０１を介して受信装置２１０に送信する。
【００８３】
修正画像データを受信した受信装置２１０では、記憶手段５が受信した修正画像データを記憶する。このとき、受信装置２１０は、記憶手段５に記憶された修正画像データを、画像データ表示部３０ａに表示可能となるように構成されている。これによって、受信装置２１０を操作する会議の参加者は、ホスト装置２５０において作成された修正画像データを、記憶手段５から読み出して画像データ表示部３０ａに表示させて閲覧することができる。
【００８４】
また、受信装置２１０は、記憶手段５に記憶された修正画像データを、修正前の画像データと差し替える受信データ差替手段を備えるように構成されるのが好ましい。これによって、受信装置２１０を操作する会議の参加者は、修正前の画像データと混同することなく区別して、受信データ差替手段によって差し替えられた修正画像データを閲覧することができる。
【００８５】
また、電子会議システム２００においては、ホスト装置２５０は、差し替えボタン２５３が押圧されてデータ差替手段が修正画像データをネットワーク１０１を介して受信装置２１０に送信するときに、強制連動指示信号を送信するように構成されてもよい。このとき、修正画像データおよび強制連動指示信号を受信した受信装置２１０では、受信データ差替手段が修正画像データを差し替えており、この差し替えが完了した修正画像データが強制連動表示される対象となる。これによって、ホスト装置２５０において任意に修正されて作成された修正画像データを、ネットワーク１０１を介して接続される全ての受信装置２１０の画像データ表示部３０ａに強制的に連動表示させることができる。
【図面の簡単な説明】
【００８６】
【図１】本発明の第１実施形態における電子会議システム１００の全体構成を示す図である。
【図２】電子会議システム１００における受信装置１０の構成を示すブロック図である。
【図３】受信装置１０が有するディスプレイ７の構成の一例を示す図である。
【図４】電子会議システム１００におけるホスト装置５０が有する表示手段のデータ表示面６０および入力手段のデータ入力面７０の一例を示す図である。
【図５】電子会議システム１００における受信装置１０およびホスト装置５０の動作を示すフローチャートである。
【図６】本発明の第２実施形態における電子会議システム２００の全体構成を示す図である。
【図７】受信装置２１０が有するディスプレイの構成の一例を示す図である。
【図８】紹介者選択ボタン２４１の表示の一例を示す図である。
【図９】電子会議システム２００におけるホスト装置２５０が有する表示手段のデータ表示面２５４および入力手段のデータ入力面２５１の一例を示す図である。
【図１０】ホスト装置２５０において、画像データ表示部６１に表示される画像データを修正画像データに差し替える手順を説明する図である。
【符号の説明】
【００８７】
１  通信手段
２  制御手段
３  表示手段
４，２０４  入力手段
５  記憶手段
６  演算処理手段
７  ディスプレイ
８  縮小表示手段
１０，２１０  受信装置
５０，２５０  ホスト装置
１００，２００  電子会議システム
１０１  ネットワーク
【図１】
0004934608.tif 000002
【図２】
0004934608.tif 000003
【図３】
0004934608.tif 000004
【図４】
0004934608.tif 000005
【図５】
0004934608.tif 000006
【図６】
0004934608.tif 000007
【図７】
0004934608.tif 000008
【図８】
0004934608.tif 000009
【図９】
0004934608.tif 000010
【図１０】
0004934608.tif 000011